(57)【要約】【課題】比較的容易に身に着けたり脱いだりすることができ、かつ外出にも適用可能な被介護者用上着を提供する。【解決手段】本発明の被介護者用上着は、前見頃３２及び後見頃３４からなる胴部３を備えている。後見頃３４は後見頃本体３５と背当部３７とからなる。後見頃本体３５は、前見頃３２の前右側部３２ａと繋がる後右側部３５ａと、前見頃３２の前左側部３２ｂと繋がる後左側部３５ｂと、前見頃３２の前右上部３２ｃと繋がる後右上部３５ｃと、前見頃３２の前左上部３２ｄと繋がる後左上部３５ｄとを有する。後見頃本体３５は、下端が開放された開口３６を形成している。後見頃本体３５は開口３６によって被介護者Ｍの背中を露出可能である。背当部３７は、後見頃本体３５に着脱可能に設けられ、開口３６を閉じるように装着されて被介護者Ｍの背中を覆う。【選択図】図５
2017125270.tif 000002
【特許請求の範囲】
【請求項１】
前見頃及び後見頃からなり、襟口を有する胴部を備え、
前記後見頃は、前記前見頃の前右側部と繋がる後右側部と、前記前見頃の前左側部と繋がる後左側部と、前記前見頃の前右上部と繋がる後右上部と、前記前見頃の前左上部と繋がる後左上部とを有して下端が開放された開口を形成し、前記開口によって被介護者の背中を露出可能な後見頃本体と、
前記後見頃本体に着脱可能に設けられ、前記開口を閉じるように装着されて前記被介護者の前記背中を覆う背当部とからなることを特徴とする被介護者用上着。
【請求項２】
前記胴部が上下に延びるように配置された場合、
前記開口は、下端から上方に延びる本体右側辺と、前記本体右側辺の対辺をなし、下端から上方に延びる本体左側辺と、前記本体右側辺の上端と前記本体左側辺の上端とを略水平に接続する本体上辺とからなり、
前記背当部は、前記本体右側辺と接続される背当右側辺と、前記背当右側辺の対辺をなし、前記本体左側辺と接続される背当左側辺と、前記本体上辺と接続される背当上辺と、前記背当上辺の対辺をなし、前記後見頃の下縁を形成する背当下辺とからなる請求項１記載の被介護者用上着。
【請求項３】
前記本体右側辺、前記本体左側辺、前記本体上辺及び前記下縁と、前記背当右側辺、前記背当左側辺、前記背当上辺及び前記背当下辺とは、二等辺逆台形状をなしている請求項２記載の被介護者用上着。
【請求項４】
前記本体上辺及び前記背当上辺は、前記被介護者の肩甲骨上で略水平に延び、かつ前記被介護者が着座する車椅子の背面上辺より下方に位置している請求項２又は３記載の被介護者用上着。
【請求項５】
前記本体右側辺及び前記背当右側辺は右側サイドラインから１〜１０ｃｍ左に位置し、前記本体左側辺及び前記背当左側辺は左側サイドラインから１〜１０ｃｍ右に位置している請求項２乃至４のいずれか１項記載の被介護者用上着。
【請求項６】
前記胴部は右袖ぐりと左袖ぐりとを有し、
前記右袖ぐり及び前記左袖ぐりの少なくとも一方から前記開口までの間は開閉可能である請求項１乃至５のいずれか１項記載の被介護者用上着。
【請求項７】
前記右袖ぐりに設けられた右袖と、前記左袖ぐりに設けられた左袖とを備え、
前記右袖及び前記左袖の少なくとも一つは、開閉可能である請求項６記載の被介護者用上着。
【請求項８】
前記襟口に設けられた襟を備え、
前記前見頃、前記後見頃本体、前記襟、前記右袖及び前記左袖の少なくとも一つは、他の部分から脱着可能である請求項７記載の被介護者用上着。
【請求項９】
前記背当部は、前記後見頃本体と異なる材質からなる請求項１乃至８のいずれか１項記載の被介護者用上着。
【発明の詳細な説明】
【技術分野】
【０００１】
本発明は被介護者用上着に関する。
【背景技術】
【０００２】
一般的な上着は、前見頃及び後見頃からなり、襟口を有する胴部を備えている。人は、この上着を身に着けることにより、胴部で胴体を覆う。車椅子を使用する被介護者も一般的には同様の上着を身に着ける。
【０００３】
しかし、被介護者は、体が不自由であることから、一般的な上着を身に着けたり、脱いだりすることが困難である場合が多い。また、苦労をして一般的な上着を身に着けたとしても、その上着は、例えば車椅子に乗った状態で特別な力が特別な部分に作用する場合があり、その場合には耐久性が損なわれる。
【０００４】
このため、例えば、特許文献１に被介護者用上着が提案されている。この被介護者用上着は、前見頃と、後見頃とが面ファスナーによって着脱可能に構成されている。被介護者がこの被介護者用上着を身に着ける場合、介護者の補助により、後見頃を被介護者の背中に当てた後、後見頃に対して前見頃を面ファスナーによって取り付ける。前見頃を被介護者の胸に当てた後、前見頃に対して後見頃を面ファスナーによって取り付けることも可能である。被介護者がこの被介護者用上着を脱ぐ場合は、この逆の操作を行うこととなる。こうして、このような被介護者用上着であれば、被介護者であっても、比較的容易にそれを身に着けたり、脱いだりすることができる。
【０００５】
しかしながら、この被介護者用上着は、前見頃と後見頃とが着脱可能とされ、意匠性が低く、外出用には適さない。この点、特許文献２の被介護者用上着も提案されている。
【０００６】
特許文献２の図１に開示された被介護者用上着は、後見頃、右袖及び左袖が設けられた本体と、前見頃とが面ファスナーによって着脱可能に構成されている。また、本体の右袖は面ファスナーによって長手方向で開閉可能に構成されている。本体の左袖も面ファスナーによって長手方向で開閉可能に構成されている。被介護者がこの被介護者用上着を身に着ける場合、介護者の補助により、本体の右袖及び左袖の面ファスナーを開いて被介護者の背中に当て、右袖の面ファスナーを閉めて右腕を包み、左袖の面ファスナーを閉めて左腕を包んだ後、本体に対して前見頃を面ファスナーによって取り付ける。被介護者がこの被介護者用上着を脱ぐ場合は、この逆の操作を行うこととなる。
【０００７】
また、特許文献２の図２に開示された被介護者用上着では、後見頃、右袖、左袖及び前見頃が設けられており、前見頃は右半分と左半分とが面ファスナーによって開閉可能に構成されている。また、右袖は前見頃の右半分とともに面ファスナーによって長手方向で開閉可能に構成されている。さらに、左袖も前見頃の左半分とともに面ファスナーによって長手方向で開閉可能に構成されている。被介護者がこの被介護者用上着を着たり、脱いだりする場合も上記と同様な操作を行うこととなる。
【０００８】
これらの被介護者用上着は、前見頃と後見頃とが着脱可能とされるよりも意匠性に優れ、車椅子等によって外出する場合にも適用可能である。
【先行技術文献】
【特許文献】
【０００９】
【特許文献１】特開２００７−１５４３２５号公報
【特許文献２】特開平１−１９２８０８号公報
【発明の概要】
【発明が解決しようとする課題】
【００１０】
しかし、上記特許文献２に開示された被介護者用上着では、被介護者がそれを身に着けたり、脱いだりする場合、被介護者の背中を車椅子の背もたれやベッドから完全に離さなければならない。このため、その補助を行う介護者にとって労力が大きい。
【００１１】
本発明は、上記従来の実情に鑑みてなされたものであって、比較的容易に身に着けたり脱いだりすることができ、かつ外出にも適用可能な被介護者用上着を提供することを解決すべき課題としている。
【課題を解決するための手段】
【００１２】
本発明の被介護者用上着は、前見頃及び後見頃からなり、襟口を有する胴部を備え、
前記後見頃は、前記前見頃の前右側部と繋がる後右側部と、前記前見頃の前左側部と繋がる後左側部と、前記前見頃の前右上部と繋がる後右上部と、前記前見頃の前左上部と繋がる後左上部とを有して下端が開放された開口を形成し、前記開口によって被介護者の背中を露出可能な後見頃本体と、
前記後見頃本体に着脱可能に設けられ、前記開口を閉じるように装着されて前記被介護者の前記背中を覆う背当部とからなることを特徴とする。
【００１３】
被介護者が本発明の被介護者用上着を身に着ける場合、まず被介護者用上着から背当部を外しておく。そして、被介護者が背中を車椅子の背もたれにもたらせたり、ベッドに仰向けになった状態で、被介護者が背当部を除いた被介護者用上着を着る。介護者がこれを補助することも可能である。この際、被介護者は、胴部の襟口に自己の頭を通した後、後見頃本体の開口から剥き出しとなった自己の背中の少なくとも一部を車椅子の背もたれやベッドに当てておくことが可能である。この後、被介護者がやや前かがみや横向きになった状態で、後見頃本体に背当部を取り付ければ、被介護者はこの被介護者用上着を身に着けることができる。また、被介護者がこの被介護者用上着を脱ぐ場合は、上と逆の操作を行えばよい。特に、後見頃本体は、開口の下端が開放されているため、胴部を左右に大きく広げることができる。このため、被介護者は、背当部を除いた被介護者用上着を着やすく、かつその被介護者用上着を脱ぎやすい。
【００１４】
そして、この被介護者用上着は、前見頃と後見頃とが着脱可能とされるよりも意匠性に優れ、車椅子等によって外出する場合にも適用可能である。
【００１５】
したがって、本発明の被介護者用上着は被介護者が比較的容易に身に着けたり脱いだりすることができ、しかもこの被介護者用上着を着た被介護者が外出を行っても違和感がない。
【００１６】
本発明の被介護者用上着は、Ｔシャツ、ベスト、ジャケット、ブラウス、ワンピース、コート、トレーナ等に適用可能である。後見頃本体と背当部とを着脱可能とする手段としては、（１）樹脂ファスナー、金属ファスナー、樹脂射出ファスナー、隠しファスナー等のオープンファスナー、（２）面ファスナー、（３）スナップボタン、マグネットボタン等のボタン、（４）ホック等を採用することが可能である。
【００１７】
本発明の被介護者用上着は、胴部が上下に延びるように配置された場合、開口は、下端から上方に延びる本体右側辺と、本体右側辺の対辺をなし、下端から上方に延びる本体左側辺と、本体右側辺の上端と本体左側辺の上端とを略水平に接続する本体上辺とからなり得る。また、背当部は、本体右側辺と接続される背当右側辺と、背当右側辺の対辺をなし、本体左側辺と接続される背当左側辺と、本体上辺と接続される背当上辺と、背当上辺の対辺をなし、後見頃の下縁を形成する背当下辺とからなり得る。この場合、開口及び背当部が四角形となるため、被介護者の背中を大きく剥き出しにしたり、覆ったりすることができることから、本発明の効果が顕著である。
【００１８】
発明者らの確認によれば、本体右側辺及び本体左側辺と、背当右側辺及び背当左側辺とは、下方が広がっていることが好ましい。この場合、被介護者の背中を台形状に大きく剥き出しにしたり、覆ったりすることができることから、本発明の効果が顕著である。
【００１９】
また、発明者らの確認によれば、本体上辺及び背当上辺は、被介護者の肩甲骨上で略水平に延び、かつ被介護者が着座する車椅子の背もたれの上辺より下方に位置していることが好ましい。例えば、バックネックポイントから１〜３０ｃｍ下方にあることが好ましい。大人用の被介護者用上着の場合、本体上辺及び背当上辺がバックネックポイントから１９〜２１ｃｍ下方に位置していることが最も好ましい。
【００２０】
本体右側辺及び背当右側辺は右側サイドラインから１〜１０ｃｍ左に位置し、本体左側辺及び背当左側辺は左側サイドラインから１〜１０ｃｍ右に位置していることが好ましい。大人用の被介護者用上着の場合、本体右側辺及び背当右側辺は右側サイドラインから４〜６ｃｍ左に位置し、本体左側辺及び背当左側辺は左側サイドラインから４〜６ｃｍ右に位置していることが最も好ましい。
【００２１】
バックネックポイントや左右のサイドラインからの長さが上記の範囲にあれば、被介護者用上着が以下の（１）〜（３）の作用効果を発揮する。（１）被介護者用上着が袖を備えている場合、前見頃と後見頃とを面ファスナー等によって着脱できるようにしなくても、背当部を外した状態で被介護者用上着を着用する際に袖を通しやすい。このため、そのような面ファスナーを無くし、優れた意匠性と、製造コストの低廉化とを実現できる。（２）後見頃本体と背当部との切替ラインが車椅子から見にくく、優れた意匠性を発揮できる。（３）車椅子等への座面への当たりが少なく、座り心地に優れる。
【００２２】
本発明の被介護者用上着では、胴部は右袖ぐりと左袖ぐりとを有し得る。そして、右袖ぐり及び左袖ぐりの少なくとも一方から開口までの間は開閉可能であることが好ましい。この場合、胴部を上下にも広げることができるため、被介護者が背当部を除いた被介護者用上着をより着やすくなる。
【００２３】
また、本発明の被介護者用上着は、右袖ぐりに設けられた右袖と、左袖ぐりに設けられた左袖とを備え得る。そして、右袖及び左袖の少なくとも一つは、開閉可能であることが好ましい。この場合、被介護者がこの被介護者用上着を身に着けたり、脱いだりする際に、より被介護者用上着を大きく広げやすく、脱着が容易になる。このため、介護者も補助を行い易い。
【００２４】
さらに、本発明の被介護者用上着は、襟口に設けられた襟を備え得る。そして、前見頃、後見頃本体、襟、右袖及び左袖の少なくとも一つは、他の部分から脱着可能であることが好ましい。この場合、被介護者がこの被介護者用上着を身に着ける際に介護者がさらに補助を行い易い。また、一部を他の部分から外し、一部だけに汗をかいたり、一部だけを汚してしまったりしたような場合、一部だけを交換したり、洗濯したりすることが可能である。特に、襟が胴部に対して着脱可能であれば、襟を付けたり、外したり、襟を交換したりすることにより、おしゃれをすることが可能になる。また、襟だけを汚してしまったような場合、襟だけを交換したり、洗濯したりすることが可能である。
【００２５】
背当部は、後見頃本体と異なる材質からなることが可能である。この場合、被介護者の使用環境によって背当部を適宜選択できる。例えば、背当部が通気性の良いメッシュ素材であれば、後見頃本体や他の部分がそうでなかったとしても、暑くて背中が蒸れるような状態を緩和、解消することができる。背当部がフリースや起毛素材等の保温性の高い素材であれば、後見頃本体や他の部分がそうでなかったとしても、寒くて背中が冷えるような状態を緩和、解消することができる。背当部が体圧分散性のあるクッション素材であれば、後見頃本体や他の部分がそうでなかったとしても、車椅子に長時間乗っていても、背中が痛くなり難い。背当部が伸縮素材であれば、後見頃本体や他の部分がそうでなかったとしても、背中が動かしやすく、車椅子の運転やスポーツ等で背中を動かし易くなる。また、背当部に消臭機能やデオドラント機能を付加し、背中に汗をかいても、快適に過ごすことができるようにすることもできる。さらに、背当部をエアーで膨らむ構造とすることにより、被介護者が姿勢を保ったり、姿勢を適宜変更したりすることができる。
【発明の効果】
【００２６】
本発明の被介護者用上着は被介護者が比較的容易に身に着けたり脱いだりすることができ、しかもこの被介護者用上着を着た被介護者が外出を行っても違和感がない。このため、被介護者はおしゃれをして外出することを好むようになり、より自立し易くなる。
【００２７】
また、本発明の被介護者用上着によれば、後見頃本体に対して背当部が着脱可能であるため、背当部だけに汗をかいたり、後見頃本体だけを汚してしまったりしたような場合、一方だけを交換したり、洗濯したりすることが可能である。
【図面の簡単な説明】
【００２８】
【図１】図１は、実施例１の被介護者用上着の正面図である。
【図２】図２は、実施例１の被介護者用上着の背面図である。
【図３】図３は、実施例１に係り、背当部を外した状態の被介護者用上着の背面図である。
【図４】図４は、実施例１に係り、右袖、右袖ぐりから開口までの間、左袖及び左袖ぐりから開口までの間を開いた状態の被介護者用上着の背面図である。
【図５】図５は、実施例１に係り、背当部の背面図である。
【図６】図６は、実施例１に係り、車椅子に乗った被介護者が被介護者用上着を身に着ける状態を示す背面図である。
【図７】図７は、実施例２の被介護者用上着の背面図である。
【図８】図８は、実施例３の被介護者用上着の背面図である。
【図９】図９は、実施例４の被介護者用上着の背面図である。
【図１０】図１０は、実施例４に係り、被介護者用上着を分解して示す背面図である。
【図１１】図１１は、実施例５の被介護者用上着の背面図である。
【図１２】図１２は、変形例１の被介護者用上着の背面図である。
【図１３】図１３は、変形例２の被介護者用上着の背面図である。
【図１４】図１４は、比較例の被介護者用上着の背面図である。
【発明を実施するための形態】
【００２９】
以下、本発明を具体化した実施例１〜５及び変形例１、２を図面を参照しつつ説明する。
【００３０】
（実施例１）
実施例１では、図１〜６に示すように、Ｔシャツ１を被介護者用上着としている。このＴシャツ１は、図１及び図２に示すように、胴部３、右袖５及び左袖７を備えている。
【００３１】
胴部３は前見頃３２と後見頃３４とからなる。胴部３の上端の襟口３ａには襟９が一体に設けられている。胴部３の右袖ぐり３ｂには右袖５が胴部３と一体に設けられている。胴部３の左袖ぐり３ｃには左袖７が右袖５と対称に胴部３と一体に設けられている。
【００３２】
前見頃３２は、図１に示すように、被介護者Ｍ（図６参照）の胴体の前右側部を覆う前右側部３２ａと、被介護者Ｍの胴体の前左側部を覆う前左側部３２ｂと、被介護者Ｍの胴体の前右上部を覆う前右上部３２ｃと、被介護者Ｍの胴体の前左上部を覆う前左上部３２ｄとからなる。
【００３３】
後見頃３４は、図２〜５に示すように、後見頃本体３５と背当部３７とからなる。後見頃本体３５は、図２〜４に示すように、前見頃３２の前右側部３２ａと右側サイドライン４ｂで繋がる後右側部３５ａと、前見頃３２の前左側部３２ｂと左側サイドライン４ａで繋がる後左側部３５ｂと、前見頃３２の前右上部３２ｃと繋がる後右上部３５ｃと、前見頃３２の前左上部３２ｄと繋がる後左上部３５ｄとを有している。また、後見頃本体３５は下端が開放された四角形の開口３６を有している。
【００３４】
右袖５及び左袖７が胴部３の上方で左右に延びるように配置された場合、開口３６は、下端から上方に延びる本体右側辺３６ａと、本体右側辺３６ａの対辺をなし、下端から上方に延びる本体左側辺３６ｂと、本体右側辺３６ａの上端と本体左側辺３６ｂの上端とを略水平に接続する本体上辺３６ｃとからなる。本体右側辺３６ａ、本体上辺３６ｃ及び本体左側辺３６ｂには、図３及び図４に示すように、それぞれ樹脂製のファスナーレール３８ａ、４０ａ、４１ａが縫い付けられている。
【００３５】
後見頃本体３５、右袖５及び左袖７は綿布からなるが、図２及び図５に示す背当部３７はクッション素材からなる。この背当部３７は、本体右側辺３６ａと接続される背当右側辺３７ａと、背当右側辺３７ａの対辺をなし、本体左側辺３６ｂと接続される背当左側辺３７ｂと、本体上辺３６ｃと接続される背当上辺３７ｃと、背当上辺３７ｃの対辺をなし、後見頃３４の下縁を形成する背当下辺３７ｄとからなる。背当右側辺３７ａ、背当上辺３７ｃ及び背当左側辺３７ｂには、図５に示すように、それぞれ樹脂製のファスナーレール３８ｂ、４０ｂ、４１ｂが縫い付けられている。ファスナーレール３８ｂ、４０ｂ、４１ｂには、ファスナースライダ３８ｃ、４０ｃ、４１ｃがファスナーレール３８ａ、４０ａ、４１ａから取り外し可能に設けられている。
【００３６】
図２に示すように、本体上辺３６ｃ及び背当上辺３７ｃは、襟口３ａのバックネックポイント２からＬだけ下方に位置している。また、本体右側辺３６ａ及び背当右側辺３７ａは右側サイドライン４ｂからＷ２だけ左に位置している。本体左側辺３６ｂ及び背当左側辺３７ｂは左側サイドライン４ａからＷ１だけ右に位置している。実施例１では、Ｌ＝２０ｃｍ、Ｗ１＝Ｗ２＝５ｃｍとしている。
【００３７】
ファスナーレール３８ａ、４０ａ、４１ａ及びファスナーレール３８ｂ、４０ｂ、４１ｂは樹脂製のファスナースライダ３８ｃ、４０ｃ、４１ｃとともにオープンファスナー３８、４０、４１を構成している。オープンファスナー３８、４０、４１は隠しファスナーとされている。背当部３７が後見頃本体３５から外されれば、被介護者Ｍは開口３６によって背中を露出可能になっている。また、背当部３７が後見頃本体３５に取り付けられれば、被介護者Ｍは背当部３７によって背中が覆われる。
【００３８】
図２〜４に示すように、右袖５の後側には、右袖口から右袖ぐり３ｂを経て、本体右側辺３６ａと本体上辺３６ｃとの交点まで延びるオープンファスナー４３が設けられている。また、左袖７の後側にも、左袖口から左袖ぐり３ｃを経て、本体左側辺３６ｂと本体上辺３６ｃとの交点まで延びるオープンファスナー４５が設けられている。オープンファスナー４３、４５は、オープンファスナー３８、４０、４１と同様のものである。
【００３９】
図６に示すように、車椅子１１を使用する被介護者ＭがこのＴシャツ１を身に着ける場合、まず、図３〜５に示すように、Ｔシャツ１から背当部３７を外し、かつオープンファスナー４３、４５を開いておく。そして、図６に示すように、被介護者Ｍが背中を車椅子１１の背もたれ１１ａにもたらせた状態で、被介護者Ｍが背当部３７を除いたＴシャツ１を着る。介護者がこれを補助することも可能である。この際、被介護者Ｍは、胴３部の襟口３ａに自己の頭を通した後、後見頃本体３５の開口３６から剥き出しとなった自己の背中の少なくとも一部を車椅子１１の背もたれ１１ａに当てておくことが可能である。この後、被介護者Ｍがやや前かがみになった状態で、後見頃本体３５に背当部３７を取り付るとともに、オープンファスナー４３、４５を閉じれば、被介護者ＭはこのＴシャツ１を身に着けることができる。特に、後見頃本体３５は、開口３６の下端が開放されているため、被介護者Ｍが背当部３７を除いたＴシャツ１を着やすく、後見頃本体３５に背当部３７を取り付け易い。また、被介護者ＭがこのＴシャツ１を脱ぐ場合は、上と逆の操作を行えばよい。
【００４０】
特に、このＴシャツ１では、開口３６及び背当部３７が四角形となっているため、被介護者Ｍの背中を大きく剥き出しにしたり、覆ったりすることができる。
【００４１】
また、発明者らの確認によれば、本体上辺３６ｃ及び背当上辺３７ｃが被介護者Ｍの肩甲骨上で略水平に延び、かつ車椅子１１の背もたれの上辺より下方に位置している。より詳細には、このＴシャツ１では、本体上辺３６ｃ及び背当上辺３７ｃがバックネックポイント２から２０ｃｍ下方に位置している。また、本体右側辺３６ａ及び背当右側辺３７ａが右側サイドライン４ｂから５ｃｍ左に位置し、本体左側辺３６ｂ及び背当左側辺３７ｂが左側サイドライン４ａから５ｃｍ右に位置している。このため、このＴシャツ１は以下の（１）〜（３）の作用効果を発揮する。（１）前見頃３２と後見頃３４とを面ファスナー等によって着脱できるようにしなくても、背当部３７を外した状態でＴシャツ１を着用する際に右袖５及び左袖７を通しやすい。このため、そのような面ファスナーを無くし、優れた意匠性と、製造コストの低廉化とを実現できる。（２）図５に示すように、後見頃本体３５と背当部３７との切替ラインが車椅子１１から見にくく、優れた意匠性を発揮できる。（３）車椅子１１等への座面への当たりが少なく、座り心地に優れる。
【００４２】
さらに、このＴシャツ１では、右袖５及び右袖ぐり３ｂから開口３６までが１本のオープンファスナー４３によって開閉可能であるとともに、左袖７及び左袖ぐり３ｃから開口３６までの間も１本のオープンファスナー４５によって開閉可能である。このため、胴部３を上下にも広げることができるため、被介護者Ｍが背当部３７を除いた被介護者用上着をより着やすくなっている。このため、介護者も補助を行い易い。
【００４３】
そして、このＴシャツ１は、右袖５や左袖７を備えていることから、前見頃３２と後見頃３５とが着脱可能とされるよりも意匠性に優れ、車椅子１１等によって外出する場合にも適用可能である。また、Ｔシャツ１では、背当部３７がクッション素材からなるため、被介護者Ｍは、後見頃本体３５、右袖５及び左袖７が綿布であったとしても、車椅子１１に長時間乗っていても、背中が痛くなり難い。また、背当部３７は、被介護者Ｍの使用環境によって適宜選択可能である。
【００４４】
したがって、このＴシャツ１は被介護者Ｍが比較的容易に身に着けたり脱いだりすることができる。被介護者Ｍの補助を行う介護者の労力も少ない。しかもこのＴシャツ１を着た被介護者Ｍが外出を行っても違和感がない。このため、被介護者Ｍはおしゃれをして外出することを好むようになり、より自立し易くなる。
【００４５】
また、このＴシャツ１によれば、後見頃本体３５に対して背当部３７が着脱可能であるため、背当部３７だけに汗をかいたり、後見頃本体３５だけを汚してしまったりしたような場合、一方だけを交換したり、洗濯したりすることが可能である。
【００４６】
（実施例２）
実施例２では、図７に示すように、ベスト１３を被介護者用上着としている。このベスト１３は、胴部１５のみからなる。胴部１５は、実施例１と同様の図示しない前見頃と、後見頃４２とからなる。
【００４７】
後見頃４２は、実施例１と同様、後見頃本体３５と背当部３７とからなる。また、後見頃本体３５は下端が開放された開口３６を有している。後見頃本体３５はウール布からなるが、背当部３７は伸縮素材からなる。他の構成は実施例１のＴシャツ１と同様である。
【００４８】
このベスト１３においても、実施例１と同様の作用効果を奏することができる。また、このベスト１３では、背当部３７が伸縮素材からなるため、後見頃本体３５がウール布であったとしても、被介護者Ｍは、背中が動かしやすく、車椅子１１の運転等で背中を動かし易い。
【００４９】
（実施例３）
実施例３では、図８に示すように、ジャケット１７を被介護者用上着としている。このジャケット１７は、実施例１のＴシャツ１と同様、胴部１９、右袖２１及び左袖２３を備えている。胴部１９は、実施例１と同様の図示しない前見頃と、後見頃４４とからなる。胴部１９の上端には襟２５が一体に設けられている。
【００５０】
後見頃４４は、実施例１と同様、後見頃本体３５と背当部３７とからなる。また、後見頃本体３５は下端が開放された開口３６を有している。他の構成は実施例１のＴシャツ１と同様である。
【００５１】
このジャケット１７においても、実施例１と同様の作用効果を奏することができる。
【００５２】
（実施例４）
実施例４では、図９及び図１０に示すように、ブラウス５１を被介護者用上着としている。このブラウス５１は、胴部５３、襟５９、右袖５５及び左袖５７を備えている。
【００５３】
胴部５３は、図１０に示す前見頃４６と、図９に示す後見頃４８とからなる。胴部５３の上端には、図９及び図１０に示すように、襟５９がオープンファスナー６１によって着脱可能に設けられている。右袖５５はオープンファスナー６３によって胴部５３から着脱可能に設けられている。また、右袖５５は、右袖口から右袖ぐりまで延びるオープンファスナー６５によって開閉可能である。左袖５７は、右袖５５と対称をなし、オープンファスナー６７によって胴部５３から着脱可能に設けられている。また、左袖５７も、左袖口から左袖ぐりまで延びるオープンファスナー６９によって開閉可能である。
【００５４】
後見頃４８は、実施例１と同様、後見頃本体３５と背当部３７とからなる。また、後見頃本体３５は下端が開放された開口３６を有している。他の構成は実施例１のＴシャツ１と同様である。
【００５５】
このブラウス５１においても、実施例１と同様の作用効果を奏することができる。また、このブラウス５１では、右袖５５及び左袖５７がオープンファスナー６５、６９によって開閉可能であるため、被介護者Ｍがこのブラウス５１を身に着ける際、よりブラウス５１を大きく広げやすく、脱着が容易になる。このため、介護者も補助を行い易い。さらに、このブラウス５１では、右袖５５、左袖５７及び襟５９がオープンファスナー６３、６７、６１によって胴部５３から脱着可能であるため、被介護者がこのブラウス５１を身に着ける際に介護者がさらに補助を行い易い。また、右袖５５、左袖５７又は襟５９を胴部５３から外し、一部だけに汗をかいたり、一部だけを汚してしまったりしたような場合、一部だけを交換したり、洗濯したりすることが可能である。
【００５６】
また、このブラウス５１では、襟５９が胴部５３に対して着脱可能であるため、襟５９を付けたり、外したり、襟５９を交換したりすることにより、おしゃれをすることが可能になる。
【００５７】
（実施例５）
実施例５では、図１１に示すように、ワンピース７１を被介護者用上着としている。このワンピース７１は、胴部７３、右袖７５及び左袖７７を備えているとともに、実施例４のブラウス５１と同様、胴部７３に対してオープンファスナー７９によって着脱可能なスカート部８１を備えている。
【００５８】
胴部７３は、実施例１と同様の図示しない前見頃と、後見頃５０とからなる。後見頃５０は、実施例１と同様、後見頃本体３５と背当部３７とからなる。また、後見頃本体３５は下端が開放された開口３６を有している。他の構成は実施例１のＴシャツ１と同様である。
【００５９】
このワンピース７１においても、実施例１、４と同様の作用効果を奏することができる。
【００６０】
（変形例１）
変形例１では、図１２に示すように、トレーナ８５を被介護者用上着としている。このトレーナ８５の後見頃８６には釣鐘状の開口８７が形成され、開口８７が背当部８８によって閉じられるようになっている。開口８７及び背当部８８では、本体右側辺８７ａ及び本体左側辺８７ｂと、背当右側辺８８ａ及び背当左側辺８８ｂとは、下方が広がっている。他の構成は実施例１のＴシャツ１と同様である。
【００６１】
このトレーナ８５は、被介護者Ｍの背中を台形状に大きく剥き出しにしたり、覆ったりすることができることから、本発明の効果が顕著である。
【００６２】
（変形例２）
変形例２では、図１３に示すように、トレーナ８９を被介護者用上着としている。このトレーナ８９の後見頃９０には後見頃９０の１ｃｍ内側まで拡大された開口９１が形成され、開口９１が背当部９２によって閉じられるようになっている。他の構成は実施例１及び変形例１と同様である。
【００６３】
このトレーナ８９においても、被介護者Ｍの背中をより大きく剥き出しにしたり、覆ったりすることができることから、本発明の効果が顕著である。
【００６４】
（比較例）
比較例では、図１４に示すように、トレーナ８３を被介護者用上着としている。このトレーナ８３の後見頃８４には縦長の楕円形の開口８４ａが形成され、開口８４ａが背当部８４ｂによって閉じられるようになっている。他の構成は実施例１のＴシャツ１と同様である。
【００６５】
このトレーナ８３は、開口８４ａの下端が開いていないことから、着難さを避けられない。開口が四角形、円形、楕円形等であり場合も、下端が開放されていない場合は同様である。
【００６６】
以上において、本発明を実施例１〜５及び変形例１、２に即して説明したが、本発明は上記実施例１〜５及び変形例１、２に制限されるものではなく、その趣旨を逸脱しない範囲で適宜変更して適用できることはいうまでもない。
【００６７】
例えば、本発明の被介護者用上着は、コート、カーデガン等であってもよい。また、後見頃本体と背当部とを着脱可能とする手段としては、上記のような樹脂の隠しファスナーに限定されず、金属ファスナー、ビスロンファスナー、コイルファスナー等を採用することもできる。また、面ファスナーの他、スナップボタン、マグネットボタン等のボタン、ホック等を採用することもできる。
【００６８】
また、背当部は、後見頃本体と異なる材質として、メッシュ素材、フリースや起毛素材等の保温性の高い素材等から選択され得る。また、背当部に消臭機能やデオドラント機能を付加したり、背当部をエアーで膨らむ構造としたりすることも可能である。
【００６９】
さらに、上記実施例１〜５において、背当部３７のみを後見頃本体３５に着脱可能とし、オープンファスナー４３、４５を設けないようにすることも可能である。
【産業上の利用可能性】
【００７０】
本発明は、車椅子等を必要とする被介護者が身に着けて好適な被介護者用上着として利用可能である。
【符号の説明】
【００７１】
１、１３、１７、５１、７１、８３、８５、８９…被介護者用上着（１…Ｔシャツ、１３…ベスト、１７…ジャケット、５１…ブラウス、７１…ワンピース、８３、８５、８９…トレーナ）
３２、４６…前見頃
３４、４２、４４、４８、５０、８４、８６、９０…後見頃
３ａ…襟口
３、１５、１９、５３、７３…胴部
３２ａ…前右側部
３５ａ…後右側部
３２ｂ…前左側部
３５ｂ…後左側部
３２ｃ…前右上部
３５ｃ…後右上部
３２ｄ…前左上部
３５ｄ…後左上部
３６、８４ａ、８７、９１…開口
Ｍ…被介護者
３５…後見頃本体
３７、８４ｂ、８８、９２…背当部
３６ａ…本体右側辺
３６ｂ…本体左側辺
３６ｃ…本体上辺
３７ａ…背当右側辺
３７ｂ…背当左側辺
３７ｃ…背当上辺
３７ｄ…背当下辺
２…バックネックポイント
４ａ、４ｂ…サイドライン
３ｂ…右袖ぐり
３ｃ…左袖ぐり
９、５９…襟
５、５５、７５…右袖
７、５７、７７…左袖
【図１】
2017125270.tif 000003
【図２】
2017125270.tif 000004
【図３】
2017125270.tif 000005
【図４】
2017125270.tif 000006
【図５】
2017125270.tif 000007
【図６】
2017125270.tif 000008
【図７】
2017125270.tif 000009
【図８】
2017125270.tif 000010
【図９】
2017125270.tif 000011
【図１０】
2017125270.tif 000012
【図１１】
2017125270.tif 000013
【図１２】
2017125270.tif 000014
【図１３】
2017125270.tif 000015
【図１４】
2017125270.tif 000016